(57)【要約】【課題】発光器具の熱制御に関して改善すること。【解決手段】発光器具１は、基体１０、発光ユニット２０およびフランジ４０を含んでいる。発光ユニット２０は、発光素子を有している。発光ユニット２０は、基体１０に固定されている。フランジ４０は、複数の溝４０４１を含む裏面４０４を有している。フランジ４０は、基体１０に固定されている。溝４０４１は、裏面４０４の中央部から周辺部へ延びている。複数の溝４０４１は、放射状に配置されている。【選択図】図２
2010056480.tif 000002
【特許請求の範囲】
【請求項１】
基体と、
発光素子を有しており、前記基体に固定された発光ユニットと、
複数の溝を有しており、前記発光ユニットの光出射面を囲んでおり、前記基体に固定されたフランジと、
を備えた発光器具。
【請求項２】
前記複数の溝の各々が、前記フランジの裏面の中央部から周辺部へ延びていることを特徴とする請求項１記載の発光器具。
【請求項３】
前記複数の溝が、放射状に配置されていることを特徴とする請求項２記載の発光装置。
【請求項４】
前記複数の溝の各々が、前記中央部から前記周辺部に向かって深くなっていることを特徴とする請求項２記載の発光器具。
【請求項５】
前記複数の溝の各々が、前記中央部から前記周辺部に向かって広くなっていることを特徴とする請求項２記載の発光器具。
【請求項６】
前記フランジが、前記複数の溝に結合された複数の貫通孔をさらに有していることを特徴とする請求項１記載の発光器具。
【請求項７】
前記複数の溝の各々は、曲面を含んでいることを特徴とする請求項１記載の発光器具。
【発明の詳細な説明】
【技術分野】
【０００１】
本発明は、例えば発光ダイオードなどの発光素子を有する発光器具に関するものである。
【背景技術】
【０００２】
近年、例えば発光ダイオードなどの発光素子を有する発光器具の開発が進められている。例えば、天井または壁に埋め込まれる発光器具は、天井または壁に接するフランジを含んでいる。フランジは、発光素子を含む発光ユニットが設けられている基体に固定されている。例えば照明分野などにおいて、発光器具は、光出力に関するさらなる改善が求められている。
【特許文献１】特開２００７−２９５００７号公報
【発明の開示】
【発明が解決しようとする課題】
【０００３】
発光器具の光出力を増大させることにより、発光器具によって発生される熱が増大する傾向にある。一方で、熱が増大することにより、発光器具の発光特性が低下する可能性がある。発光器具の発光特性を向上させるためには、発光ユニットの熱制御に関して改善を図る必要がある。
【課題を解決するための手段】
【０００４】
本発明の一つの態様によれば、発光器具は、基体、発光ユニットおよびフランジを含んでいる。発光ユニットは、発光素子を有しており、基体に固定されている。フランジは、複数の溝を有しており、発光ユニットの光出射面を囲んでおり、基体に固定されている。
【発明の効果】
【０００５】
本発明の一つの態様によれば、発光器具は、複数の溝を有しているフランジを備えている。発光器具は、このような構造によって、熱制御に関して改善されている。
【発明を実施するための最良の形態】
【０００６】
下記において、いくつかの例示的な実施形態を説明している。
【０００７】
本発明の一つの実施形態における発光器具１は、図１から図３までに示されているように、基体１０、発光ユニット２０および絶縁シート３０を含んでいる。発光器具１は、フランジ４０、ハウジング５０および電源ユニット６０をさらに含んでいる。図１および図３において、発光器具１は、電源ユニット６０が省略された状態で示されている。
【０００８】
基体１０は、金属材料を含んでおり、凹部を有している。基体１０の材料例は、アルミニウム（Ａｌ）である。
【０００９】
発光ユニット２０は、基体１０の凹部の内側に設けられており、基体１０に固定されている。図４に示されているように、発光ユニット２０は、基板２２、複数の発光装置２４および反射部材２６を含んでいる。発光ユニット２０は、カバー２８をさらに含んでいる。発光ユニット２０は、光出射面を有している。例示的な発光ユニット２０において、光出射面とは、カバー２８が設けられている面のことをいう。
【００１０】
例示的な基板２２は、導体パターンを有しているガラスエポキシ基板である。複数の発光装置２４は、基板２２に実装されている。
【００１１】
図５および図６に示されているように、発光装置２４は、基体２４１、発光素子２４２およびフレーム部材２４３を含んでいる。発光装置２４は、封入層２４４および発光部材２４５をさらに含んでいる。図６において、発光装置２４は、内部構造を示すために、部分的に省略された状態で示されている。
【００１２】
例示的な基体２４１は、実質的にセラミックスからなる。発光素子２４２は、基体２４１に実装されている。例示的な発光素子２４２は、半導体材料を含んでいる発光ダイオードである。フレーム部材２４３は、基体２４１上に設けられており、発光素子２４２を囲んでいる。フレーム部材２４３の材料例は、セラミックスである。封入層２４４は、フレーム部材２４３の内側の空間に設けられており、発光素子２４２の上端および側面に付着している。封入層２４４の材料例は、シリコーン樹脂である。発光部材２４５は、発光素子２４２の上方に設けられており、フレーム部材２４３に固定されている。発光部材２４５は、マトリクス材料および蛍光材料を含んでいる。例示的なマトリクス材料は、シリコーン樹脂である。発光部材２４５は、発光素子２４２から放射された第１次光に応じて第２次光を放射する。
【００１３】
再び図４を参照して、反射部材２６は、基板２２に固定されている。例示的な反射部材２６は、金属材料を含んでいる。反射部材２６は、複数の発光装置２４に対応している複数の光反射面２６１を有している。カバー２８は、反射部材２６に固定されており、複数の発光装置２４を覆っている。カバー２８は、透光性を有している。この透光性とは、発光装置２４から放射された光の少なくとも一部が透過できることをいう。例示的なカバー２８は、実質的にアクリル樹脂からなる。
【００１４】
再び図１から図３までを参照して、絶縁シート３０は、基体１０と発光ユニット２０との間に設けられている。
【００１５】
フランジ４０は、基体１０に固定されており、表面４０２および裏面４０４を有している。フランジ４０は、発光ユニット２０の光出射面を囲んでいる。フランジ４０は、金属材料を含む接合材によって、基体１０に固定されている。フランジ４０の“表面”４０２とは、発光器具１が天井または壁などに取り付けられた場合に、照明空間に面する面のことをいう。照明空間とは、発光器具１から放射された光が届く空間のことをいう。フランジ４０の“裏面”４０４とは、発光器具１が埋め込まれた天井または壁などに面する面のことをいう。フランジ４０の材料例は、アルミニウム（Ａｌ）である。
【００１６】
フランジ４０の裏面４０４は、複数の溝４０４１を有している。このような構造によって、裏面４０４の面積が増大されている。従って、発光器具１は、放熱に関して改善されている。発光ユニット２０によって発生された熱は、基体１０を介して、フランジ４０に伝導される。フランジ４０に伝導された熱は、フランジ４０の裏面４０４から放散される。溝４０４１は、裏面４０４の中央部から周辺部に延びている。このような構造によって、空気が、溝４０４１によって、裏面４０４の中央部から周辺部へ流れる。従って、フランジ４０に伝導された熱は、溝４０４１に沿って外部へ移動する。複数の溝４０４１は、放射状に配置されている。
【００１７】
ハウジング５０は、基体１０および発光ユニット２０を覆っている。電源ユニット６０は、ハウジング５０に固定されており、発光ユニット２０に電気的に接続されている。電源ユニット６０は、発光ユニット２０に駆動電力を供給する。
【００１８】
図７を参照して、他の例示的なフランジ４０を説明する。フランジ４０は、溝４０４１に結合された貫通孔４０４２を有している。“結合”とは、溝４０４１を移動する空気が貫通孔４０４２にも移動可能な状態のことをいう。貫通孔４０４２は、表面４０２と裏面４０４との間に形成されている。このような構造によって、溝４０４１を移動する熱が、貫通孔４０４２を介して、照明空間へ放散される。従って、発光器具１は、熱制御に関して改善されている。図７において、熱の移動経路が、実線矢印によって示されている。
【００１９】
図８を参照して、他の例示的なフランジ４０を説明する。溝４０４１は、中央部から周辺部に向かって深くなっている。すなわち、周辺部側の深さ４０４３は、中央部側の深さ４０４４より大きい。このような構造によって、発光器具１は、熱制御に関して改善されている。図８において、熱の移動経路が、実線矢印によって示されている。
【００２０】
図９を参照して、他の例示的なフランジ４０を説明する。溝４０４１は、中央部から周辺部に向かって広くなっている。すなわち、周辺部の幅４０５５は、中央部の幅４０５６より大きい。このような構造によって、発光器具１は、熱制御に関して改善されている。
【００２１】
図１０を参照して、他の例示的なフランジ４０を説明する。溝４０４１は、曲面４０５７を含んでいる。このような構造によって、発光器具１は、溝４０４１における空気の流れに関して改善されている。従って、発光器具１は、熱制御に関して改善されている。
【図面の簡単な説明】
【００２２】
【図１】本発明の一つの実施形態における発光器具１を示している。
【図２】発光器具１の断面を示している。
【図３】発光器具１を示している。
【図４】図２に示された発光ユニット２０の断面を示している。
【図５】図４に示された発光装置２４を示している。
【図６】発光装置２４の内部構造を示している。
【図７】本発明の他の実施形態における発光器具１の断面を示している。
【図８】本発明の他の実施形態における発光器具１の断面を示している。
【図９】本発明の他の実施形態における発光器具１を示している。
【図１０】本発明の他の実施形態における発光器具１を示している。
【符号の説明】
【００２３】
１  発光器具
１０  基体
２０  発光ユニット
４０  フランジ
４０４  裏面
４０４１  溝
５０  ハウジング
【図１】
2010056480.tif 000003
【図２】
2010056480.tif 000004
【図３】
2010056480.tif 000005
【図４】
2010056480.tif 000006
【図５】
2010056480.tif 000007
【図６】
2010056480.tif 000008
【図７】
2010056480.tif 000009
【図８】
2010056480.tif 000010
【図９】
2010056480.tif 000011
【図１０】
2010056480.tif 000012